(57)【要約】【課題】廃棄処分するうえで、とても嵩張る空き缶やプラスチック容器を安全な方法で収縮し、分別して収納し、どのような場所においても設置可能で、子供からお年寄りまで安心して使用できるものを提供することを目的とする。【解決手段】空き缶またはプラスチック容器を本装置の正面に配置した吸着性と伸縮性を有するパッド部に押し当てると、スイッチ部が入りバキュームポンプ部により空き缶やプラスチック容器内の空気を吸引することにより、外部からの力を一切使わずにそれらを潰す。そして正面両サイドのシュート口より入れることにより分別され収納できようにした。【選択図】図２（ａ）
2016203152.tif 000002
【特許請求の範囲】
【請求項１】
空き缶またはプラスチック容器の上部の開口部分が当接される吸入口を有し、吸着性と伸縮性を有する素材からなるパッド部１と、前記パット部１に接続され、空気が通過する主パイプ部３と、前記主パイプ部３を介して前記空き缶またはプラスチック容器の内部の空気を吸入するバキュームポンプ部５と、前記パット部１の裏側に配置され、該パット部１に前記空き缶またはプラスチック容器が当接されたことにより圧縮状態となるバネ部材２３及び前記バキュームポンプ部５の作動を制御するものであって、常時はオフ状態にあり、該バネ部材２３が圧縮状態になることによりオン状態になるスイッチ部材を有するスイッチ部２と、前記主パイプ部３の途中に設けられ、調整弁２６付の空気吸入口を有し、前記バキュームポンプ部５が過負荷状態になったことに伴い該調整弁２６が作動して、該空気吸入口から空気を取り込む吸入パイプ部４とを備え、前記スイッチ部２がオン状態になることにより前記バキュームポンプ部５が作動して前記主パイプ部３を介して前記空き缶またはプラスチック容器内の空気の吸引を開始し、該バキュームポンプ部５の作動中はその吸引力によって前記バネ部材２３を圧縮状態に維持して前記空き缶またはプラスチック容器を潰すとともに、前記空き缶またはプラスチック容器が真空状態に近づくに伴い前記調整弁２６が作動して前記バキュームポンプ部５が前記吸入パイプ部４を介して空気を吸引することにより、前記バネ部材２３の圧縮状態が解放されて前記スイッチ部２がオフ状態となることを特徴とする資源ごみクラッシュ装置。
【請求項２】
前記主パイプ部３は空気及び水分が通過するものであり、前記バキュームポンプ部５は前記空き缶またはプラスチック容器の内部の空気及び水分を吸入するものであって、モーター１１とタンク部１２とで構成され、吸入された空気は排気口１５から排出され、吸入された水分はタンク部１２に入るようにしたことを特徴とする請求項１に記載の資源ごみクラッシュ装置。
【請求項３】
潰れた前記空き缶またはプラスチック容器を収納する収納ボックス６をさらに備えたことを特徴とする請求項１または２に記載の資源ごみクラッシュ装置。
【発明の詳細な説明】
【技術分野】
【０００１】本発明は、資源ごみクラッシュ装置に係わり、空き缶やプラスチック容器の中身を吸い取ると同時に潰すことで体積を縮小することができる資源ごみクラッシュ装置に関する。
【背景技術】
【０００２】空き缶やプラスチック容器をつぶす道具や機械は様々あり、そのほとんどが外圧を加えて潰すもので、安全性や大きさなどから一般に使うにはまだまだ改良の余地があるものがほとんどである。外圧を加えずに潰すものとして家庭用掃除機で空き缶またはプラスチック容器の内部の空気を吸引して潰すものがある（特許文献１）。
【先行技術文献】
【特許文献】
【０００３】
【特許文献１】登録実用新案第３０３８７４２号
【発明の概要】
【発明の解決しようとする課題】
【０００４】上記のように、空き缶やプラスチック容器を廃棄処分するときに潰す方法として、プレス機や歯車のようなもので外圧を加えて潰す方法は、ほとんどが子供や老人等にとっては使い難く、また機械の大きさや消費電力を多く必要とするためあまり一般的ではなかった。
【０００５】また、家庭用掃除機で吸うことで缶を潰すものもあるが、家庭用掃除機では片手で缶を抑え、他方の片手でスイッチを操作するなど両手がふさがりとても不便であり、またそれを放置すればモーターの焼き付けを引き起こすことも考えられる。また、缶内に水分などが含まれていれば、通常の掃除機なら故障の原因になる恐れがある。さらに、普段は掃除機として使用しているため空き缶専用のノズルをその都度交換しなくてはならないので手間もかかる。その上スイッチも手動で入れるため両手がふさがりとても不便である。
【０００６】このことから、空き缶やプラスチック容器を潰すには、安全で手間がかからず簡単に使用できることが求められる。また、そうして潰された資源ごみはゴミ袋に入れ放置するのではなく、景観を損ねない配慮が必要になるためそれらの収納スペースが求められる。
【課題を解決するための手段】
【０００７】上記課題を解決するために本発明は、空き缶またはプラスチック容器上部の開口が当たる部分に密着性の高いパッド部１を使用し、バネ部材２３によるオンオフを可能にしたスイッチ部２と、空気を吸入すると共に、調整弁２６を有する空気吸入口を備えた吸入パイプ部４が途中に設けられた主パイプ部３に、パッド部１とバキュームポンプ部５を接続させた装置で、空き缶及びプラスチック容器内の空気を吸入することで真空状態を作り、外部の力をかけずに安全に潰すことを特徴とする。
【０００８】上記の構成において、空き缶またはプラスチック容器の開口部をパッド部１に押し当てスイッチをＯＮにしたとき、空き缶またはプラスチック容器内の空気の吸入が開始されてその内部が真空状態になり潰れる。この時バキュームポンプ部５にかかる負荷をなくしスイッチ部２をＯＦＦにするために主パイプ部３の途中に設けた吸入パイプ部４内の調整弁２６のついた空気吸入口が開き空気を取り込んでバキュームポンプ部５にかかる負荷を取り除き、スイッチ部２内のバネ部材２３が戻りスイッチ部２がＯＦＦになる。これにより、バキュームポンプ部５に負担をかけることもなく、片手で簡単に潰すことができることを可能にした。
【０００９】また、本発明によれば、バキュームポンプ部５で吸入された空気は排気口１５より排出され、水分はタンクに入り排水パイプ１３から排出されるか、排水パイプに接続されていない場合はタンク部１２を外し洗浄することができる。
【００１０】また、本発明によれば、潰された空き缶やプラスチック容器は、資源ごみクラッシュ装置と一体となる収納ボックス６に収納することにより、景観を損なうことなく衛生的である。
【発明の効果】
【００１１】本発明の資源ごみクラッシュ装置は空き缶やプラスチック容器の開口部をパッド部１に軽く押し当てるだけで、バキュームポンプ部５による吸引力により潰すため、片手で簡単かつ、安全に潰すことができる。そのため、子供からお年寄りまで安心して使用することができ、どこにでも設置可能である。
【００１２】本発明の資源ごみクラッシュ装置は、素材と形状を変えることにより、高速道路のパーキングエリアや多目的施設などに設置することで、清掃作業の短縮やそれに伴うコスト削減にもつながる。
【図面の簡単な説明】
【００１３】
【図１】本発明の実施の形態に係る資源ごみクラッシュ装置で、設置状況の一例を斜視図で示した図である。
【図２】本発明の実施の形態に係る資源ごみクラッシュ装置で、図２（ａ）は側面断面図、図２（ｂ）は正面図、図２（ｃ）はバキュームポンプ部５の構造図である。
【図３】本発明の実施の形態に係る資源ごみクラッシュ装置で、図３（ａ）はスイッチ部２、主パイプ部３、吸入パイプ部４の詳細図で缶が潰れる様子を示した図、図３（ｂ）は吸入パイプ部４内の調整弁２６などの構造図である。
【図４】本発明の実施の形態に係る資源ごみクラッシュ装置で、スイッチ部２を展開して斜視図に示した図である。
【発明の実態の形態】
【００１４】以下に、本発明の資源ごみクラッシュ装置の実施の形態について説明する。図１は資源ごみクラッシュ装置の使用状態の一例を示す斜視図である。これは一般のシステムキッチンに組み込んだ場合の一例で、流し台の横に設置し水洗いした空き缶やプラスチック容器をそのまま容易に潰し収納する仕組みになっている。
【００１５】図２（ａ）〜（ｃ）は資源ごみクラッシュ装置の側面の断面、正面及びバキューム部５の構造を表す斜視図で、それぞれの機能部に番号をつけてある。図２（ａ）を参照に概略構成を説明すると、パッド部１は吸着性と伸縮性に富んだ素材からなり、空き缶やプラスチック容器の開口部が当接される吸入口を有する。このパッド部１はスイッチ部２と当接されており、主パイプ部３の一端に接続され、該主パイプ部３の他端はバキュームポンプ部５に接続されている。バキュームポンプ部５はモーター１１とタンク部１２とからなり、モーター１１が作動することにより、主パイプ部３を介して空気を吸引する。これにより、パッド部１の吸引口に開口部が当接された空き缶またはプラスチック容器内部の空気が主パイプ部３を通じてバキュームポンプ部５に吸引され、該空き缶またはプラスチック容器内部が真空状態になることに伴い空き缶またはプラスチック容器が外気圧によって潰される。
【００１６】パッド部１の裏側にはバキュームポンプ部５の作動を制御するスイッチ部２が配置されている。このスイッチ部２は、図４に示すようにコイルスプリング等からなるバネ部材２３とマイクロスイッチ２５等からなるスイッチ部材を有している。以下、図４に基づきスイッチ部２の構造を説明する。吸着性と伸縮性を有するパッド部１が差込パイプ２２ｂが一体成型されたバネケース２２に固定され、その中にバネ部材２３が収まっている。前記パッド部１、バネケース２２、バネ部材２３をスイッチケース２４にはめ込む（図３（ａ）参照）。この場合、バネケース２２の差込パイプ２２ｂがスイッチケース２４の吸入パイプ２４ａに差し込まれる。その際、前記バネケース２２の突起部２２ａに合わせてマイクロスイッチ２５をセットする。このように各部品２２〜２５が組み合わさってスイッチ部２が形成される。
【００１７】また、スイッチ部２において、バネ部材２３は通常状態では伸張状態にあり、空き缶等をパッド部１に押し当てると圧縮状態になる。これは、マイクロスイッチ２５がバネ部材２３の伸張状態でオフ状態、圧縮状態でオン状態になることを意味している。したがって、空き缶またはプラスチック容器の上端の開口部がパッド部１の吸入口に押し当てられると、例えばパッド部１がシリコンのような吸着性及び伸縮性を有する素材からなるため、パッド部１が空き缶またはプラスチック容器に吸着してバネ部材２３を圧縮状態にすることにより、マイクロスイッチ２５がオン状態となる。これにより、バキュームポンプ部５内のモーター１１が作動し、主パイプ部３を介して空き缶またはプラスチック容器内の空気を吸引し始める。
【００１８】そして、バキュームポンプ部５が吸引し始めると、その吸引力によってパッド部１が主パイプ部３側に押し付けられた状態に維持されるので、バネ部材２３が圧縮状態に維持され、マイクロスイッチ２５がオン状態に維持されて、引き続き空き缶またはプラスチック容器内の空気を吸引し続けることになる。この吸引状態は空き缶またはプラスチック容器が真空状態になるまで継続する。
【００１９】空き缶またはプラスチック容器内が真空状態になるのに伴って、空き缶またはプラスチック容器が潰れていくことになるが、空き缶またはプラスチック容器内が真空状態になると（潰れると）、バキュームポンプ部５が吸引するものがなくなって過負荷状態となり、そのまま放置すると火災等の事故が起きる恐れがある。このような事故を防止するために、図３に示すように、主パイプ部３の途中に調整弁２６のついた吸入パイプ部４が設けられている。
【００２０】以下、図３（ｂ）に基づき吸入パイプ部４の構造を説明する。まず、調整弁２６について説明すると、主弁３２の内部に調圧スプリング３４を伴ったダイヤフラム３３が設置され、バネ受け３５により固定される。また、バネ受け３５の中心に穴を設け、この穴を通してダイヤフラム３３の心棒が飛び出すようになっていて、心棒の先端に吸入調整羽３６を設ける。この吸入調整羽３６は、バキュームポンプ部５の吸引によって押し下げられるダイヤフラム３３の弁開口の調整をしている。それら３２〜３６を、吸入パイプ部４の先端部に取り付け調整弁キャップ３１で締め込み固定する。通常吸入パイプ部４の開口部は、調圧スプリング３４によりダイヤフラム３３が押し上げられ主弁３２の開口部がふさがれることにより、空気が入り込まないようになっている。一方、バキュームポンプ部５がパッド部１側から空気の吸引ができなくなると、調整弁２６の吸入調整羽３６を押し下げる（バキュームポンプ部５の方に引っ張る）吸引力が増し、ダイヤフラム３３を引っ張ることにより調圧スプリング３４の押上げ力に抗して下方に押し下げられて、その結果、吸入パイプ部４の開口部に位置する空気取り込み用の主弁３２が開口して空気を取り込むようになる。
【００２１】そして、空き缶またはプラスチック容器が真空状態になると（潰れると）、バキュームポンプ部５はその瞬間過負荷状態となり、更に空気を吸引しようとするが、パッド部１側からの空気の吸引ができないことに伴い、上記のように、吸入パイプ部４内に設けられた調整弁２６が作動して吸入パイプ部４に空気が入り込むようになる。すると、バキュームポンプ部５は吸入パイプ部４からの空気を吸入することとなり、過負荷状態は回避される。
【００２２】バキュームポンプ部５によるパッド部１からの吸引はなくなるので、パッド部１は元の状態に戻り、これに伴いバネ部材２３が圧縮状態から通常の伸張状態に戻ってスイッチ部２（マイクロスイッチ２５）がオフ状態になる。この結果、バキュームポンプ部５の作動が停止する。
【００２３】以上のことから、空き缶またはプラスチック容器をパッド部１に装着し軽く押すことで、スイッチ部２がオン状態となり、バキュームポンプ部５内のモーター１１が作動して吸入が始まる。吸入された空気は主パイプ部３を介しバキュームポンプ部５に運ばれモーター１１の排気口１５より排気される。また、空気と同様に吸入された空き缶またはプラスチック容器内に残っている水分は、バキュームポンプ部５内のタンク部１２に運ばれ排水パイプ１３より排出される。それに伴い、空き缶またはプラスチック容器内は真空状態となり潰される。そして、空き缶またはプラスチック容器内の取り込む空気がなくなったと同時に、吸入パイプ部４の調整弁２６により空気を取り込むことにより、スイッチ部２内のバネ部材２３の圧縮状態を解放し、スイッチ部２がオフ状態になる。
【００２４】この資源ごみクラッシュ装置は、コンセントプラグ１４を電源１００Ｖに接続して使用し、普段使用しないときは主電源スイッチ１６をオフにし、また使用するときにオンにする。
【００２５】その他の構成として、図２（ｂ）をもとに説明すると、資源ごみクラッシュ装置の上部中央に設けられた前記パッド部１の両側に、潰された空き缶やプラスチック容器を収納する開閉口、シュート口１０を有し、内部にはそれぞれを分別する収納ボックス６が設置されており、廃棄される空き缶やプラスチック容器を周りの景観を損ねることなく収納することができる。また、収納ボックス６に溜まった潰れた空き缶やプラスチック容器は、上部引き出し７を引き出すことにより、簡単に取り出し廃棄することができる。さらに、下部引き出し８には、空き缶やプラスチック容器以外の資源ごみを収納できるようになっている。
【００２６】また、このクラッシュ装置をキッチンに設置した場合などは、その上部天板９を調理台や配膳台として使用でき、また場所に応じて外部の素材や形を変えることにより、屋外のパーキングエリアなどにも設置することができる。屋外に設置する場合はドーム型の直接風雨の入らないような形状にしたり、多目的施設などにおいては外部を軽い素材を用いてキャスター付きにすることもできる。
【符号の説明】１      パッド部
２      スイッチ部
３      主パイプ部
４      吸入パイプ部
５      バキュームポンプ部
６      収納ボックス
７      上部引き出し
８      下部引き出し
９      上部天板
１０    シュート口
１１    モーター
１２    タンク部
１３    排水パイプ
１４    電源コンセントプラグ
１５    排気口
１６    主電源スイッチ
２２    バネケース
２２ａ  突起部
２２ｂ  差込パイプ
２３    バネ部材
２４    スイッチケース
２４ａ  吸入パイプ
２５    マイクロスイッチ
２６    調整弁
３１    調整弁キャップ
３２    主弁
３３    ダイヤフラム
３４    調圧スプリング
３５    バネ受け
３６    吸引調整羽
【図１】
2016203152.tif 000003
【図２（ａ）】
2016203152.tif 000004
【図２（ｂ）】
2016203152.tif 000005
【図２（ｃ）】
2016203152.tif 000006
【図３（ａ）】
2016203152.tif 000007
【図３（ｂ）】
2016203152.tif 000008
【図４】
2016203152.tif 000009